(57)【要約】      （修正有） 【課題】小型化可能であり、かつ環境に対する影響を与えにくい、例えば救急箱に適した収納容器を提供する。【解決手段】開口を有する筺体部２００と、開口を介して挿抜自在に筺体部２００内に収納される収納トレイ１００とを備え、収納トレイ１００は、筺体部２００に対する挿抜方向に直交する向きに設けられた二対の側壁、及び底部を有し、二対の側壁の開口と平行な向きに配置された壁部、及び底部は、型紙が重なった部分により形成されている紙製キャビネット１０。【選択図】図１
0003154140.tif 000002
【実用新案登録請求の範囲】
【請求項１】
その展開形状に対応した第１のシート部材を折り曲げ加工することにより形成された、開口を有する筺体部と、
その展開形状に対応した第２のシート部材を折り曲げ加工することにより形成された、前記開口を介して挿抜自在に前記筺体部内に収納される収納トレイとを備え、
前記収納トレイは、前記筺体部に対する挿抜方向に直交する向きに設けられた二対の側壁、及び前記筺体部の内壁に対向する底部を有し、
前記二対の側壁の前記開口と平行な向きに配置された壁部、及び前記底部は、前記第２のシート部材が重なった部分により形成されている、収納容器。
【請求項２】
前記壁部は、前記第２のシート部材が所定の間隔をおいて重なることにより形成されており、
前記底部は、前記第２のシート部材が当接して重なることにより形成されている、
請求項１に記載の収納容器。
【請求項３】
前記壁部及び前記底部は、それぞれ前記第２のシート部材が二重に重なることにより形成されており、
前記壁部の縁は、前記第２のシート部材が前記所定の間隔に対応した渡りを介して屈曲することにより形成されており、
前記底部を形成する、上側に重なった前記第２のシート部材の一部は、前記壁部を形成する、より外側に重なった前記第２のシート部材と当接している、
請求項２に記載の収納容器。
【請求項４】
前記筺体部の前記開口の縁は、前記第１のシート部材が屈曲した部分により形成されている、請求項１に記載の収納容器。
【請求項５】
前記第１のシート部材及び前記第２のシート部材は、段ボール紙製である、請求項１から４のいずれかに記載の収納容器。
【考案の詳細な説明】
【技術分野】
【０００１】
本考案は、紙等の素材で構成された、小型化可能な収納容器に関する。
【背景技術】
【０００２】
従来より、家庭内における使用を目的とした常備用、又は野外、職場環境に応じた携帯用の救急箱が広く用いられている。そのような救急箱の一例として、特許文献１には、携帯用救急箱として、箱体と蓋体とを蝶番で連接した片開き式の筺体を有する携帯救急箱が開示されている。
【先行技術文献】
【特許文献】
【０００３】
【特許文献１】特開平９−２５３１３３号公報
【考案の概要】
【考案が解決しようとする課題】
【０００４】
しかしながら、上記従来の技術に例示されるようなこれまでの救急箱は、木製又はポリプロピレン、ポリエチレン、アクリル等の合成樹脂製であり、耐久性、保存性に優れていたものの、以下の課題を有していた。すなわち、定型性を有する箱状の形であるため、非使用時においてはかさばってしまい運搬が容易ではなかった。
【０００５】
又、破損した場合はそのまま廃棄しなければならず、資源ごみとなってしまっていた。特に木製の救急箱は堅牢であるため、使用者側で解体し、一般ごみとして廃棄するのは困難である。一方、合成樹脂製の救急箱はその性質上、無害化するには高度な処理を必要とし、そのまま廃棄した場合は環境に対する影響が懸念されるものであった。
【０００６】
本考案は、上記の課題に鑑みてなされたものであり、小型化可能であり、かつ環境に対する影響を与えにくい、例えば救急箱に適した収納容器を提供することを目的とする。
【課題を解決するための手段】
【０００７】
上記の目的を達成するために、本考案の第１の側面は、その展開形状に対応した第１のシート部材を折り曲げ加工することにより形成された、開口を有する筺体部と、
その展開形状に対応した第２のシート部材を折り曲げ加工することにより形成された、前記開口を介して挿抜自在に前記筺体部内に収納される収納トレイとを備え、
前記収納トレイは、前記筺体部に対する挿抜方向に直交する向きに設けられた二対の側壁、及び前記筺体部の内壁に対向する底部を有し、
前記二対の側壁の前記開口と平行な向きに配置された壁部、及び前記底部は、前記第２のシート部材が重なった部分により形成されている、収納容器であることを特徴とする。
【０００８】
又、本考案の第２の側面は、前記壁部は、前記第２のシート部材が所定の間隔をおいて重なることにより形成されており、
前記底部は、前記第２のシート部材が当接して重なることにより形成されている、第１の側面の収納容器であることを特徴とする。
【０００９】
又、本考案の第３の側面は、前記壁部及び前記底部は、それぞれ前記第２のシート部材が二重に重なることにより形成されており、
前記壁部の縁は、前記第２のシート部材が前記所定の間隔に対応した渡りを介して屈曲することにより形成されており、
前記底部を形成する、上側に重なった前記第２のシート部材の一部は、前記壁部を形成する、より外側に重なった前記第２のシート部材と当接している、第２の側面の収納容器であることを特徴とする。
【００１０】
又、本考案の第４の側面は、前記筺体部の前記開口の縁は、前記第１のシート部材が屈曲した部分により形成されている、第１の側面の収納容器であることを特徴とする。
【００１１】
又、本考案の第５の側面は、前記第１のシート部材及び前記第２のシート部材は、段ボール紙製である、第１から第４のいずれかの側面の収納容器であることを特徴とする。
【考案の効果】
【００１２】
本考案によれば、小型化可能でありつつ、耐久性に優れ、かつ環境に対する影響を与えにくいという顕著な効果を有する収納容器を提供することができる。
【図面の簡単な説明】
【００１３】
【図１】（ａ）本考案の実施の形態に係る紙製キャビネットの斜視図である。（ｂ）本考案の実施の形態に係る紙製キャビネットの斜視図である。
【図２】本考案の実施の形態に係る紙製キャビネットを構成する収納トレイの正面斜視図である。
【図３】本考案の実施の形態に係る紙製キャビネットを構成する収納トレイの背面斜視図である。
【図４】本考案の実施の形態に係る紙製キャビネットを構成する収納トレイの展開図である。
【図５】本考案の実施の形態に係る紙製キャビネットを構成する収納トレイの構造を説明するための図である。
【図６】（ａ）本考案の実施の形態に係る紙製キャビネットを構成する収納トレイの平面図である。（ｂ）本考案の実施の形態に係る紙製キャビネットを構成する収納トレイの底面図である。
【図７】本考案の実施の形態に係る紙製キャビネットを構成する収納トレイの構成を説明するための模式的な断面図である。
【図８】（ａ）本考案の実施の形態に係る紙製キャビネットを構成する筺体部の正面斜視図である。（ａ）本考案の実施の形態に係る紙製キャビネットを構成する筺体部の構成を説明するための模式的な断面図である。
【図９】本考案の実施の形態に係る紙製キャビネットを構成する筺体部の構造を説明するための図である。
【図１０】本考案の実施の形態に係る紙製キャビネットを構成する筺体部の展開図である。
【考案を実施するための形態】
【００１４】
以下、本考案の実施の形態を、図面を参照して説明する。
【００１５】
図１（ａ）（ｂ）は、本考案の実施の形態に係る紙製キャビネットの斜視図である。各図に示すように、本実施の形態に係る紙製キャビネット１０は、収納トレイ１００及び筺体部２００から構成される。
【００１６】
図１（ａ）に示すように、紙製キャビネット１０は筺体部２００の外形に対応した六面体形状を有し、そのうち５面は筺体部２００の外面により、残りの一面は収納トレイ１００の正面外壁１０１及び正面外壁１０１の周縁に沿って位置する縁部２０１〜２０４により構成される。
【００１７】
又、図１（ｂ）に示すように、紙製キャビネット１０においては、抽斗形状の収納トレイ１００が、筺体部２００の開口２００ａを介してその内部に収納可能な構造となっている。収納トレイ１００の正面外壁１０１の中心にはスリット１０１ａが開口され、スリット１０１ａからは把持用リボン１０１ｂが露出している。利用者はこの把持用リボン１０１ｂをつまむことにより、筺体部２００から収納トレイ１００を挿抜することが可能となる。
【００１８】
次に、図２〜図６（ａ）（ｂ）を参照して、収納トレイ１００の構成について説明する。ただし図２は、収納トレイ１００の正面側からの斜視図、図３は同背面側からの斜視図、図４は展開図、図５は模式的な展開図、図６（ａ）は平面図、図６（ｂ）は底面図である。ただし、説明のため、各部の縮尺は適宜誇張して示した。
【００１９】
図４に示すように、収納トレイ１００は、その輪郭が所定パターンに裁断された段ボール紙製の型紙１５０を折り曲げ加工することにより構成される。具体的には、図中破線を山折りにし、輪郭を除く実線部１３０、１３１を谷折りする。したがって接続面１０３ａによる接合部分を除き、収納トレイ１００の各部分は継ぎ目なく一枚の型紙１５０によって連続していることになる。なお、図４中に実線にて示す切り欠き部１１１及び１１６、並びにくり抜き穴１１２は折り線ではなく切削加工された部分であり、それらの構成及び機能は後述する。
【００２０】
図２及び３に示すように、収納トレイ１００は、上方が解放された、被収納物を収納する抽斗状の外形を有する。紙製キャビネット１０の壁面を構成する正面外壁１０１と収納トレイ１００の収納空間を構成する正面内壁１１０との間は、型紙１５０の折り曲げにより形成された縁部１０５を介して接続される。型紙１５０の、正面内壁１１０を構成する部分はさらに収納トレイ１００の底部まで延伸して直交するように屈曲し、上側底面１０８を形成する。
【００２１】
同様に、正面外壁１０１及び正面内壁１１０に対向する、背面外壁１１３及び背面内壁１０４は、型紙１５０の折り曲げにより形成された縁部１０６を介して互いに接続されている。型紙１５０の、正面内壁１１０を構成する部分はさらに収納トレイ１００の底部まで延伸して屈曲し、上側底面１０７を形成する。
【００２２】
上記の各図に示すように、正面外壁１０１及び正面内壁１１０と、背面外壁１１３及び背面内壁１０４とは、横幅は同一だが、高さにおいて異なり、正面外壁側のほうがより背高となっている。したがって、これら壁部と連続する一対の側壁１０２及び１０３は、縁部１０５側から縁部１０６側へ向かう滑らかな曲線状の外縁を有する。ただし、この外縁の形状は直線状、折れ線状であってもよく、図示する形状に限定されるものではない。
【００２３】
更に、図３及び図６（ａ）に示すように、上側底面１０８の縁部１０８ａと上側底面１０７の縁部１０７ａとが接合線１０９を形成するように接することにより、上側底面１０８及び上側底面１０７は収納トレイ１００の底部を形成する。
【００２４】
ここで図５に、上側底面１０８及び上側底面１０７を展開した状態を示す。同図に示すように、上側底面１０８及び上側底面１０７の直下には、側壁１０２及び１０３と連続した下側底面１１５が露出している。又、正面内壁１１０の外側には正面外壁１０１の裏面１１４が露出している。更に同図においては死角となる位置である背面内壁１０４の外側には、背面外壁１１３の裏面が露出している。なお、この背面外壁１１３の裏面及び正面外壁１０１の裏面１１４も、下側底面１１５と連続している。又、側壁１０２及び１０３の曲線状の外縁は、型紙１５０の断面によって形成されている。なお、シール１０１ｃは、その一端がスリット１０１ａを介して正面外壁１０１から露出する把持用リボン１０１の他端を正面外壁１０１の裏面１１４に固定するために設けられている。又、半円状に型紙１５０をくり抜いて形成したくり抜き穴１１２は、利用者が指等を差し込み、上部底面１０８を展開するのを補助する役割を有するが、省略した構成としてもよい。
【００２５】
一方、図４に示すように、下側底面１１５は、中央に切り欠きを有するフラップ１１５ａ及び１１５ｂと、側端が凸状となっているフラップ１１５ｃ及び１１５ｄとの組み合わせによって構成され、図６（ｂ）に示すようにフラップ１１５ｃ及び１１５ｄの側端がフラップフラップ１１５ａ及び１１５ｂの切り欠きに挿入された構造を有する。ただし、下側底面１１５のこの構造は周知技術に属し、本考案の要部ではないため、図５においては簡単のため省略して示した。
【００２６】
以上説明したように、本実施の形態の紙製キャビネット１０は、その収納トレイ１００において、側壁１０２及び１０３を除く各壁部及び底部が、型紙１５０の二重に重なった部分で構成されていることを特徴とする。このような特徴を備えたことにより、１枚の型紙１５０の折り曲げ加工によって形成されていても、キャビネットとして十分な耐久性を確保することができる。
【００２７】
特に、本実施の形態においては、収納トレイ１００が挿抜される方向に対して正対する壁面を構成する、正面外壁１０１及び正面内壁１１０並びに背面外壁１１３及び背面内壁１０４が、それぞれ縁部１０５及び１０６を介して屈曲した壁部を形成していることで、壁部全体により厚みを持たせている。
【００２８】
図７は、収納トレイ１００の、切り欠き部１１１と直交する直線による側部断面図である。図７に示すように、縁部１０５を介した折り返しにより、正面外壁１０１と正面内壁１１０とは間隔ｄ１をもって離隔配置されている。更に、正面内壁１１０と上側底面１０８との折り返し部分（図４の実線１３０に示す谷折り部分に対応する）に切り欠き部１１１を設けたことにより、図５に示すように、上側底面１０８と面一をなす型紙１５０の一部が凸部１２０として突出することとなり、図７に示すように、収納トレイ１００を組み立てた状態において、凸部１２０が正面外壁１０１と正面内壁１１０との間隙に侵入し、その先端が正面外壁１０１の裏面１１４と当接した構造を形成する。凸部１２０の長さと縁部１０５の大きさをあらかじめ定めた均等な寸法に設定することで、正面外壁１０１と正面内壁１１０とがなす壁部の厚みを自在に定めることができる。また各壁面の上下端が等幅で固定されることから、壁部は一様な厚みが確保されることとなり、収納トレイ１００の定型性が保証される。
【００２９】
同様の構造は、背面外壁１１３と背面内壁１０４との間にも設けられ、切り欠き部１１６により形成された、上側底面１０７と面一をなす凸部１２１が背面外壁１１３の裏面と当接することにより、背面外壁１１３と背面内壁１０４とが間隔ｄ２をもって離隔配置され、壁部の一様な厚みが確保され、かつ強度が維持されている。
【００３０】
一方、収納トレイ１００の底部は下側底面１１５と上側底面１０８及び上側底面１０７とが当接、すなわち面接触しており、型紙１５０自体の厚みのみで底部全体の厚みを維持している。これは以下の理由による。すなわち、収納トレイ１００の底部は収納物の荷重が常時直接印加される部分であり、しかも収納物が載置される位置は利用者や使用環境に応じて変化するため、面接触により等方的に補強されることが求められるからである。
【００３１】
以上のように、本実施の形態の紙製キャビネット１０によれば、型紙１５０の折り曲げ可能により形成される収納トレイ１００の正面及び背面の壁部、並びに底部を二重構造とし、かつ、正面及び背面の壁部は型紙の折り返しにより厚みを設け、底部は型紙同士の当接により補強した構造としたことにより、紙製でありながら、耐久性及び定型性を十分に確保することを可能としている。
【００３２】
次に、図８（ａ）（ｂ）〜図１０を参照して、筺体部２００の構成について説明する。ただし図８（ａ）は斜視図、図８（ｂ）は収納トレイ１００の挿抜方向に沿った直線による模式的な断面図、図９は模式的な展開図、図１０は展開図である。なお、収納トレイ１００の場合と同様、各部の縮尺は、説明の便宜上誇張して示した。
【００３３】
収納トレイ１００と同様、筺体部２００は、図１０に示す、輪郭が所定パターンに裁断された段ボール紙製の型紙２５０を折り曲げ加工することにより構成される。具体的には、図中破線を山折りする。
【００３４】
図８（ａ）（ｂ）に示すように、筺体部２００は、開口２００ａを有する開口箱状の形状を有し、上面壁２０５、底面壁２０７、側面壁２０６、２０８及び背面壁２０９の５面を有する。背面壁２０９は、収納トレイ１００の下側底面１１５と同様に、図１０に示す、中央に切り欠きを有するフラップ２０９ａ及び２０９ｃと、側端が凸状となっているフラップ２０９ｂ及び２０９ｄとの組み合わせによって構成される。なお、図８（ｂ）においては、簡単のため組み合わせの部分は省略して示した。
【００３５】
筺体部２００において、収納トレイ１００を収納する内部空間は、上面壁２０５と縁部２０１を介して接続する内壁２１０、底面壁２０７と縁部２０３を介して接続する内壁２１２、側面壁２０６と縁部２０２を介して接続する内壁２１１、側面壁２０８と縁部２０４を介して接続する内壁２１３、上面壁２０５の裏面２１４、背面壁２０９の裏面２１５、底面壁２０７の裏面２１６、側面壁２０８の裏面２１７及び側面壁２０６の裏面により形成される。
【００３６】
以上のような構成を有する筺体部２００は、収納トレイ１００の縁部１０５、１０６と同様に、型紙２５０の折り返しにより形成した縁部２０１〜２０４を開口２００ａの周縁に設けたことで、開口２００ａの構造を補強し、その定型性を保証している。これにより、単なる耐久性の向上のみならず、収納トレイ１００の挿抜を確実なものとし、紙製キャビネット１００の操作性を向上する効果を奏する。
【００３７】
ここで図９に、内壁２１２及び２１３を展開した状態を示す。同図に示すように、内壁２１２の側端には凹の切り欠き２１２ａが設けられ、内壁２１２に隣接する内壁２１３の側端には凸の切り欠き２１３ａが設けられている。これら切り欠きは、内壁２１２及び２１３を開口２００ａから筺体部２００の内部へ折り曲げた状態で凹凸が咬み合い係止される。他の隣接する内壁も同様の構成を有し、内壁同士が互いに切り欠きにより係止することで、収納トレイ１００の挿抜にともない内壁が動くことを防ぐとともに、筺体部２００の外形保持をより強固なものとしている。
【００３８】
更に、本考案の実施の形態に係る紙製キャビネット１０は、収納トレイ１００及び筺体部２００を、それぞれ一枚の型紙１５０、２５０から構成されることも特徴の一つとして有する。型紙１５０の場合は接続面１０３ａと背面外壁１１３の接続領域１１３ａを、又、型紙２５０の場合は、接続面２０８ａと、上面壁２０５上の接続領域２０５ａとを接着材等で接合した後は、折り曲げ加工のみで、収納トレイ１００又は筺体部２００を組み立てることができる。又、未使用状態においては分解して封筒状、又は型紙そのままの状態で保存することができるため、小型化可能であり、持ち運びが容易で、大量輸送にも好適である。
【００３９】
更に、段ボール紙製としたことにより、特に救急箱として使用した場合は、据え置き用途、携帯用途を問わず、廃棄時の処分においても、使用者側で容易に解体可能であるのみならず、古紙等の形態でリサイクルすることができ、環境に対する負荷を著しく低減することが可能となる。その他、書類保管、衣類、雑貨等の保管用途においても、同様の効果を奏する。耐久性、定型性については、先に述べたように、壁部、底部の重層構造により十分に確保されており、従来の木製、合成樹脂製の収納容器と同様に扱うことができる。
【００４０】
なお、上記の説明においては、紙製キャビネット１０は本考案の収納容器に相当する。又、筺体部２００は本考案の筺体部に相当し、型紙２５０は本考案の第１のシート部材に相当する。又、収納トレイ１００は本考案の収納トレイに相当し、型紙１５０は本考案の第２のシート部材に相当する。
【００４１】
更に、開口２００ａは本考案の開口に相当し、正面外壁１０１及び正面内壁１１０並びに背面外壁１１３及び背面内壁１０４は、本考案の、開口と平行な向きに配置された壁部に相当し、下側底面１１５と上側底面１０８及び上側底面１０７とから構成される部分は、本考案の底部に相当する。又、縁部１０５及び１０６は本考案の渡りに相当し、縁部２０１〜２０４は、本考案の第１のシート部材が屈曲した部分に相当するものである。
【００４２】
ただし本考案は上記実施の形態の記載内容に限定されるものではない。壁部及び底部は、３枚以上のシート部材が重なることにより形成されるものであってもよい。シート部材は、段ボール紙の他、ケナフ等の代用紙、帆布、その他の素材によって実現してもよい。切り欠き１１１、１１６の個数も任意であってよい。把持用リボンの構成も、利用者が収納トレイを自在に挿抜することを補助できるのであれば、任意の材料、形状であってよい。リボンの代わりに指を挿入させる貫通孔を設けた構成としてもよい。筺体部は、縁部を介さず収納空間側に直接屈曲させる構成としてもよい。要するに、本考案の要旨を逸脱しない範囲内であれば、上記実施の形態に種々の変更を加えてもよい。
【産業上の利用可能性】
【００４３】
以上のような本考案によれば、小型化可能でありつつ、耐久性に優れ、かつ環境に対する影響を与えにくいという顕著な効果を有し、一例としては、容易にリサイクル可能な救急箱に好適である。
【符号の説明】
【００４４】
１０    紙製キャビネット
１００      収納トレイ
１０１      正面外壁
１０１ａ      スリット
１０１ｂ      把持用リボン
１０２、１０３      側壁
１０３ａ      接続面
１０４      背面内壁
１０５、１０６      縁部
１０７、１０８      上側底面
１０７ａ、１０８ａ    縁部
１１１、１１６      切り欠き部
１０９      接合線
１１０      正面内壁
１１２      くり抜き穴
１１３      背面外壁
１１４      裏面
１１５      下側底面
１１５ａ、１１５ｂ、１１５ｃ、１１５ｄ  フラップ
１５０      型紙
【図１】
0003154140.tif 000003
【図２】
0003154140.tif 000004
【図３】
0003154140.tif 000005
【図４】
0003154140.tif 000006
【図５】
0003154140.tif 000007
【図６】
0003154140.tif 000008
【図７】
0003154140.tif 000009
【図８】
0003154140.tif 000010
【図９】
0003154140.tif 000011
【図１０】
0003154140.tif 000012